(57)【要約】      （修正有）【課題】休息時において寝返りがうちやすく蒸れずに快適に眠れることにより眠りの質を向上させることができるとともに、その製造において構成部品の点数を少なくして製造工程に掛かる時間を短縮することができる枕を提供する。【解決手段】使用者の頭部及び首部と対向する面に所定の深さの凹部１１を有し１種類の弾性素材のみからなる本体部１と、複数の柱状貫通孔２１を有し前記凹部と固着され使用者の頭部及び首部を支持する支持部２を備える。使用者の頭部及び首部を所定の角度で支えることできるため、使用者の気道が塞がれにくくて呼吸しやすいため快適に眠ることができる。本体部、支持部など少ない部材から構成されているので、少ない工程で製造することができ、製造工程に掛かる時間を短縮することができる。【選択図】図２
2020127666.tif 000002
【特許請求の範囲】
【請求項１】
休息時に使用する枕であって、
使用者の頭部及び首部と対向する面に所定の深さの凹部を有し１種類の弾性素材のみからなる本体部と、
複数の柱状貫通孔を有し前記凹部と固着され使用者の頭部及び首部を支持する支持部を備えることを特徴とする枕。
【請求項２】
前記支持部が、前記本体部側に固設され複数の前記柱状貫通孔を覆設するシート部を有していることを特徴とする請求項１に記載の枕。
【請求項３】
前記支持部が、前記本体部よりも高い反発弾性を有することを特徴とする請求項１又は請求項２に記載の枕。
【請求項４】
前記本体部が発泡性ウレタンで形成されていることを特徴とする請求項１から請求項３のいずれかに記載の枕。
【請求項５】
前記シート部が、通気性を有していることを特徴とする請求項２、請求項２に従属する請求項３又は請求項２に従属する請求項４のいずれかに記載の枕。
【発明の詳細な説明】
【技術分野】
【０００１】
本発明は、就寝時や休憩時などの休息時に、使用者の頭部や首部を載置して使用する枕に関する。
【背景技術】
【０００２】
従来、就寝時や休憩時などの休息時において眠りの質を向上させることに意識が向けられており、それに伴って枕、布団、ベッドなどの寝具に対して使用者の注目も高まっている。
【０００３】
枕については、寝心地の違いにより大きく眠りの質が影響されることから、種々の商品が開発されている。
【０００４】
例えば、特許文献１において、フェザーを内包する袋体の外側に低反発ウレタンを有し、さらにその低反発ウレタンの外側表面にハニカム構造のシートを張り合わせた枕として利用するクッションが開示されている。
【先行技術文献】
【特許文献】
【０００５】
【特許文献１】特開２００２−４０５号公報
【発明の概要】
【発明が解決しようとする課題】
【０００６】
しかしながら、特許文献１に開示されたクッションでは、フェザー、低反発ウレタンとシート、カバーなどの複数の部材から構成されているので製造を行うに際して複数の工程を有するために、１つの商品を製造するために多くの時間が必要であり、さらにそのことと関連して製造コストが高くなるという課題があった。
【０００７】
そこで、本発明では、休息時において寝返りがうちやすく蒸れずに快適に眠れることにより眠りの質を向上させることができるとともに、その製造において構成部品の点数を少なくして製造工程に掛かる時間を短縮することができる枕を提供することを目的とする。
【課題を解決するための手段】
【０００８】
〔１〕すなわち、本発明は、休息時に使用する枕であって、使用者の頭部及び首部と対向する面に所定の深さの凹部を有し１種類の弾性素材のみからなる本体部と、複数の柱状貫通孔を有し前記凹部と固着され使用者の頭部及び首部を支持する支持部を備えることを特徴とする枕である。
【０００９】
〔２〕そして、前記支持部が、前記本体部側に固設され複数の前記柱状貫通孔を覆設するシート部を有していることを特徴とする前記〔１〕に記載の枕であるである。
【００１０】
〔３〕そして、前記支持部が、前記本体部よりも高い反発弾性を有することを特徴とする前記〔１〕又は前記〔２〕に記載の枕である。
【００１１】
〔４〕そして、前記本体部が発泡性ウレタンで形成されていることを特徴とする前記〔１〕から前記〔３〕のいずれかに記載の枕である。
【００１２】
〔５〕そして、前記シート部が、通気性を有していることを特徴とする前記〔２〕、前記〔２〕に従属する前記〔３〕又は前記〔２〕に従属する前記〔４〕のいずれかに記載の枕である。
【発明の効果】
【００１３】
本発明の枕により、休息時において寝返りがうちやすく蒸れずに快適に眠れることにより眠りの質を向上させることができるとともに、その製造において構成部品の点数を少なくして製造工程に掛かる時間を短縮することができる。
【図面の簡単な説明】
【００１４】
【図１】本発明の枕の一の実施形態を示す斜視図である。
【図２】本発明の枕の一の実施形態を示すＡ−Ａ線断面図である。
【発明を実施するための形態】
【００１５】
以下、本発明に関する実施形態について詳しく説明する。なお、以下に説明する実施形態は、本考案を実施するに好ましい具体例であるから、技術的に種々の限定がなされているが、本考案は、以下の説明において特に考案を限定する旨が明記されていない限り、この形態に限定されるものではない。
【００１６】
本発明の枕は、本体部１、支持部２など少ない部材から構成されているので、少ない工程で製造することができ、製造工程に掛かる時間を短縮することができる。
【００１７】
本体部１は、枕の土台となる部材であり、使用者の頭部及び首部を直接又は間接的に支える部材である。本体部１において、使用者の頭部及び首部と対向する面である上面１ａには、図１に示すように、短手方向に窪むように湾曲し使用者の頭部を支える湾曲部１２と、湾曲部１２から滑らかに接続して盛り上がり使用者の首部を支える隆起部１３を有している。このように湾曲部１２と隆起部１３を備えることにより、使用者の頭部及び首部を所定の角度で支えることできるため、使用者の気道が塞がれにくくて呼吸しやすいため快適に眠ることができる。
【００１８】
そして、本体部１の上面１ａには、湾曲部１２の一部から隆起部１３の一部に亘って、所定の深さの凹部１１を有している。図１に示すように、本実施形態では、平面視で湾曲部１２から隆起部１３に亘ってコの字状に凹部１１が設けられている。凹部１１には支持部２が固着され、本体部１と支持部２が一体化される。また、本体部１の上面１ａは、支持部２の上面２ａとおおよそ段差がなくフラット、すなわち面一になっている。
【００１９】
本体部１は、１種類の弾性素材のみから形成されている。弾性素材は、例えば、軟質の発泡性ウレタンなどであることが好ましい。弾性素材が発泡性ウレタンであれば、その原材料を所定の型枠に載置された支持部２に対して流し込むことにより枕を製造することができるので製造工程に掛かる時間を短縮することができる。また、弾性素材が発泡性ウレタンであれば、変形しながらも所定の反発弾性を有しているため、使用者の頭部の重さに応じて適度に沈み込んだときに頭部を安定して保持することができる。
【００２０】
支持部２は、使用者の頭部及び首部を支持する部材であり、複数の柱状貫通孔２１を有する。そして、支持部２は、本体部１の凹部１１に直接的又は間接的に固着される。
【００２１】
柱状貫通孔２１は、支持部２の厚み方向に沿って、支持部２に穿設されている孔である。柱状貫通孔２１を設けて支持部２に立体的な空間を確保することにより、支持部２が通気性を有することとなり、使用者の頭部や首部から発せられる水分で蒸れることなく快適に眠ることができる。また、柱状貫通孔２１を設けることにより、使用者の頭部や首によって支持部２に掛かる負荷を分散することで、局所的な弾性の喪失を防止して支持部２の寿命を延ばし、ひいては枕の寿命を延ばすことができる。本実施形態では、図１に示すように、柱状貫通孔２１は六角形状を有しており、ハチの巣状に設けられている。柱状貫通孔２１は、本実施形態では六角形状であるが、他の実施形態において四角形状として格子状に設けることもでき、三角形、八角形など他の多角形状として設けたり、また、円柱形状、楕円形状などの外周が曲面となる形状として設けたりすることもできる。
【００２２】
支持部２の材料は、本体部１と同様に弾性素材であることが好ましい。そして、使用者の頭部及び首部を載置したときに、柱状貫通孔２１の通気性を確保するために柱状貫通孔２１が潰れて完全に塞がれない程度の硬さであり、使用者の頭部及び首部が沈み込み過ぎず使用者が寝返りを打ちやすい程度の硬さであるために、所定の反発弾性を有するゲル状で形成されていることが好ましい。そして、支持部２は、とりわけ使用者の頭部及び首部が沈み込み過ぎず使用者が寝返りを打ちやすくするために、本体部１よりも高い反発弾性を有することが好ましい。
【００２３】
支持部２の材料は、具体的には、スチレン系、オレフィン／アルケン系、塩化ビニル系、ウレタン系、エステル系、アミド系などの熱可塑性エラストマー（ＴＰＥ）であることが好ましい。このような材料を用いると、射出成形によって支持部２を形成することができるので迅速に加工を行うこともできる。また、必要に応じて、それら材料に顔料、染料などを配合して着色することもできる。
【００２４】
また、支持部２において、底面、すなわち本体部１側の面に複数の柱状貫通孔２１を覆って設けられるシート部２２が固設されている。シート部２２は、支持部２の底面全体に設けられていることが好ましい。シート部２２により、枕を製造する際に、所定の型枠に載置された支持部２に対して本体部１の原材料流し込むときに、それら原材料が柱状貫通孔２１にまで流れ込むことを防止することができるので、柱状貫通孔２１をそのままの形状で確保することができる。また、シート部２２により、本体部１の説明でも述べたような製造方法を採用することができ製造工程に掛かる時間を短縮することができる。
【００２５】
また、シート部２２が、通気性を有していることが好ましい。シート部２２が通気性を有することにより、使用者の頭部や首部から発せられる水分を本体部１に拡散することができる。また、上述したように、所定の型枠に載置された支持部２に対して本体部１の原材料流し込んで製造する際に、本体部１の原材料とシート部２２の間に空気溜まりが生じにくいため、本体部１の原材料とシート部２２をより密着することができ、本体部１の凹部１１と支持部２を剥がれにくいようにすることができる。こうして、支持部２の側面においては、本体部１の凹部１１の壁面と直接的に固着され、支持部２の底面においては、本体部１の凹部１１にシート部２２を介して間接的に固着されることとなる。
【００２６】
シート部２２に通気性を持たせるために、シート部２２は、具体的には、ポリプロピレン繊維、ポリエチレン繊維、ポリエステル繊維、ナイロン繊維、セルロース繊維、アラミド繊維などの材料を用いた不織布又は織布として形成されることが好ましい。そして、シート部２２は、支持部２の底面に、熱融着又は接着剤などの固着手段によって固着されている。
【符号の説明】
【００２７】
１・・・本体部
１１・・・凹部
１２・・・湾曲部
１３・・・隆起部
１ａ・・・上面
２・・・支持部
２１・・・柱状貫通孔
２２・・・シート部
２ａ・・・上面
【図１】
2020127666.tif 000003
【図２】
2020127666.tif 000004